(57)【特許請求の範囲】
【請求項１】
保護継電器と遮断器との間に設けられ、本体と前記本体に着脱される短絡プラグとから成るトリップロック端子台であって、
前記本体は、
前記保護継電器に接続される第１端子と、
前記遮断器に接続される第２の端子とを備え、
前記短絡プラグは、
前記第１端子と係合できる第１プラグと、
前記第１プラグと一体的に形成され、前記第２の端子と係合できる第２プラグと、
前記第１プラグに接続される外部接続端子とを備え、
前記本体と前記短絡プラグとは、
第１の係合状態においては、前記第１端子及び前記第１プラグのみが係合し、
第２の係合状態においては、前記第１端子及び前記第１プラグ並びに前記第２端子及び前記第２プラグの各々が係合する、トリップロック端子台。
【請求項２】
前記短絡プラグは、さらに、
前記第１の係合状態において前記第１端子及び前記外部接続端子を介して前記保護継電器から生じた電流を検知する検知手段を備えた、請求項１記載のトリップロック端子台。
【請求項３】
前記検知手段は、前記第１端子と前記外部接続端子との間に接続された発光ダイオードを含む、請求項２記載のトリップロック端子台。
【請求項４】
前記第１プラグの長さは前記第２プラグの長さより大きく構成されており、
前記本体及び前記短絡プラグは、前記第１の係合状態から前記第２の係合状態への変化となる前記短絡プラグの前記本体への進行を阻止する阻止手段をさらに備えた、請求項１から請求項３のいずれかに記載のトリップロック端子台。
【請求項５】
前記阻止手段は、
前記短絡プラグにおいて前記第１プラグ及び前記第２プラグの取付方向に平行でかつ前記第１プラグ及び前記第２プラグの間に設けられたロックつまみを含み、前記ロックつまみの先端にはネジ部が形成され、
更に、前記阻止手段は、
前記本体内に設けられ、前記短絡プラグと前記第１プラグとの係合状態において、前記ロックつまみのネジ部に当接するナットを含む、請求項４記載のトリップロック端子台。
【請求項６】
前記ロックつまみを回転させることによって、前記ナットは前記ネジ部に螺合し、
前記短絡プラグは、前記本体に向かって進行して前記短絡プラグ及び前記本体は前記第２の係合状態に変化する、請求項５記載のトリップロック端子台。
【請求項７】
前記本体はさらに、
前記第１の係合状態において、前記第１プラグ及び前記第２プラグの各々を前記ロックつまみの方向に弾性的に付勢する付勢手段を備えた、請求項５又は請求項６記載のトリップロック端子台。
【発明の詳細な説明】
【０００１】
【発明の属する技術分野】
この発明はトリップロック端子台に関し、特に変電所や配電用に用いられる電力保護制御盤に試験用端子として取付けられるトリップロック端子台に関するものである。
【０００２】
【従来の技術】
変電所等の電力の保護制御装置は近年デジタル化が著しく、従来から設置されている機器の監視制御や保護に対して適切に動作するかの点検が、電力系統の保守安定のために大変重要である。それらの保護制御装置の保護回路を変電所の中で点検するとき、送電停止を行わないで点検を実施することが保護制御装置にとって必要である。
【０００３】
図９は、このような保護制御装置の周りの概略構成を示す回路図であり、図１０は、電力保護制御盤の前面パネルの該略図である。
図を参照して、供給側電路６３に供給された電力は、ノードＮ１から負荷側電路６５を介して負荷側機器７１に供給される。負荷側電路６５にはトリップコイル６９に流れる電流による電磁力によってその接点が「開」となる遮断器ＣＢが取付けられている。
【０００４】
供給側電路６３のノードＮ２には供給側電路６３に印加される電圧を計測するための変圧器ＰＴが取付けられており、その電圧データは保護継電器６７に入力される。一方、負荷側電路６５に流れる電流を計測するための変流器ＣＴが負荷側電路６５に取付けられており、その電流データは保護継電器６７に入力される。
【０００５】
保護継電器６７は、変圧器ＰＴのデータや変流器ＣＴのデータに異常を発見した際、第１コード４９及び第２コード５１を介してトリップコイル６９に電流を流して遮断器ＣＢを動作させ、負荷側電路６５の負荷側機器７１に対する接続を遮断する。第１コード４９及び第２コード５１の間には短絡プラグが着脱自在のトリップロック端子台１２が設けられている。尚、トリップロック端子台１２の短絡プラグを着脱自在としているのは、保護継電器６７が正常な動作を行っているか否かを確認する際に、不用意に遮断器ＣＢを動作させることがないように、第１コード４９と第２コード５１とを電気的に切り離すためである。
【０００６】
保護継電器６７及びトリップロック端子台１２は、電力保護制御盤７３に組み込まれており、電力保護制御盤７３の前面パネルは、図１０に示されているような構成となっている。
電力保護制御盤７３は保護制御しようとする電力の供給先の系統毎に設けられており、その系統が前面パネル１６の名板７４に示されている。前面パネル１６の中央には、電源整定パネル７５と、表示パネル７６と、スイッチ部７７とが設けられており、その下方には、短絡プラグが着脱式のトリップロック端子台１２が対応する遮断器ＣＢの数毎に取付けられている。
【０００７】
図１１は、図９及び図１０に用いられている従来のトリップロック端子の概略構成図である。
尚、図１１の（１）はトリップロック端子台の短絡プラグを本体から外した状態を示しており、図１１の（２）は短絡プラグを本体に装着した状態を示した図である。
【０００８】
これらの図を参照して、短絡プラグ１５は直方体形状のロックプラグカバー２７と、ロックプラグカバー２７の中央部を貫通しその先端にネジ部１８が形成されているロックつまみ１７と、ロックプラグカバー２７からネジ部１８の方向と平行に延長され、かつ一体的に形成されている薄刃状の第１プラグ３１及び第２プラグ３３とから構成される。
【０００９】
一方、本体１３はその内部に第１プラグ３１と嵌合することによって電気的に接続される第１端子３５と第２プラグ３３と嵌合することによって電気的に接続される第２端子３７が平行に設けられ、第１端子３５と第２端子３７との間には、ロックつまみ１７のネジ部１８に螺合し得るナット７９が設けられている。第１端子３５の端部には第１コード４９が、第２端子３７の端部には第２コード５１が各々接続されている。本体１３の短絡プラグ１５側には、短絡プラグ１５の第１プラグ３１、ネジ部１８及び第２プラグ３３の各々が挿通し得る開口（図示せず）が設けられたパネル部４７が、前面パネル１６に取付けられている。
【００１０】
図１１の（１）において明らかなように、短絡プラグ１５を本体１３から取り外した状態では、第１端子３５と第２端子３７とは電気的に分離されており、即ち、図９で言えば第１コード４９と第２コード５１とが電気的に分離された状態となっている。
次に、図１１の（２）において示されているように、短絡プラグ１５を本体１３に装着すると、第１端子３５と第１プラグ３１及び第２端子３７と第２プラグ３３とが各々電気的に接続され、又第１プラグ３１と第２プラグ３３とはロックプラグカバー２７内部で一体的に形成されていることから、第１コード４９と第２コード５１とが電気的に接続された状態となる。尚、この状態でロックつまみ１７を回転させることによって、ネジ部１８はナット７９に螺合し、不用意な短絡プラグ１５の本体１３からの脱落が防止される。
【００１１】
このように、従来では保護継電器６７から遮断器ＣＢのトリップコイル６９に入力される中間部分にトリップロック端子台１２を設置し、保護継電器６７の点検を行っている際には、トリップロック端子台１２の短絡プラグ１５を引き抜いて第１コード４９と第２コード５１とを電気的に切断状態にする。これによって、点検上生じる保護リレーの接点状態等を全く意識せずに、監視すべき機器及び回路の状態を点検していた。
【００１２】
【発明が解決しようとする課題】
上記のように従来では、トリップロック端子台の短絡プラグは保守点検者が持ち、点検時には確実に遮断器ＣＢ側のトリップコイル回路が保護されていた。しかし、点検が終了して回路復旧を行う際には、遮断器ＣＢに接続される保護継電器６７の保護回路がどのような状態になっているかは容易に判断できない。そのため、保護リレーの接点状態が「開」状態になっていないにもかかわらず、短絡プラグを装着すると、遮断器ＣＢが開放動作して停電事故等が生じる場合がある。そこで、テスト端子等を挿入してそれぞれの回路の状態を確認した後短絡プラグを挿入することとしていたが、作業上煩雑であり、確認漏れ等が生じる恐れもあって安全性としては不十分であった。
【００１３】
この発明は上記のような課題を解決するためになされたもので、請求項１記載の発明は、遮断器の不用意な開放動作が生じる恐れがなく、保護継電器の回路状態等を容易に確認できるトリップロック端子台を提供することを目的とする。
【００１４】
【課題を解決するための手段】
上記の目的を達成するために、請求項１記載の発明は、保護継電器と遮断器との間に設けられ、本体と本体に着脱される短絡プラグとから成るトリップロック端子台であって、本体は保護継電器に接続される第１端子と、遮断器に接続される第２の端子とを備え、短絡プラグは、第１端子と係合できる第１プラグと、第１プラグと一体的に形成され、第２の端子と係合できる第２プラグと、第１プラグに接続される外部接続端子とを備え、本体と短絡プラグとは、第１の係合状態においては、第１端子及び前記第１プラグのみが係合し、第２の係合状態においては、第１端子及び第１プラグ並びに第２端子及び第２プラグの各々が係合するように構成されたものである。
【００１５】
第１の係合状態と第２の係合状態とは、いずれもその状態で安定する状態を意味しており、不用意にそれらの状態が変化するものを意味するものではない。
請求項２記載の発明は、請求項１記載の発明の構成において、短絡プラグがさらに、第１の係合状態において第１端子及び外部接続端子を介して保護継電器から生じた電流を検知する検知手段を備えたものである。
【００１６】
請求項３記載の発明は、請求項２記載の発明の構成において、検知手段が第１端子と外部接続端子との間に接続された発光ダイオードを含むものである。
請求項４記載の発明は、請求項１から請求項３のいずれかに記載の発明の構成において、第１プラグの長さが第２プラグの長さより大きく構成されており、本体及び短絡プラグは第１の係合状態から第２の係合状態への変化となる短絡プラグの本体への進行を阻止する阻止手段をさらに備えたものである。
【００１７】
請求項５記載の発明は、請求項４記載の発明の構成において、阻止手段は、短絡プラグにおいて第１プラグ及び第２プラグの取付方向に平行でかつ第１プラグ及び第２プラグの間に設けられたロックつまみを含み、ロックつまみの先端にはネジ部が形成され、更に、阻止手段は、本体内に設けられ、短絡プラグと第１プラグとの係合状態において、ロックつまみのネジ部に当接するナットを含むものである。
【００１８】
請求項６記載の発明は、請求項５記載の発明の構成において、ロックつまみを回転させることによって、ナットはネジ部に螺合し、短絡プラグは本体に向かって進行して短絡プラグ及び本体は第２の係合状態に変化するものである。
請求項７記載の発明は、請求項５又は請求項６記載の発明の構成において、本体が、さらに第１の係合状態において第１プラグ及び第２プラグの各々をロックつまみの方向に弾性的に付勢する付勢手段を備えたものである。
【００２１】
【発明の効果】
請求項１記載の発明においては、第１の係合状態では、第１端子及び第１プラグのみが係合するので、外部接続端子を利用することによって保護継電器の保護リレーの接点等の状態の如何にかかわらず、遮断器にその影響を与えることなくリレー接点等の状態をチェックすることができる。
【００２２】
又、リレー接点の開放状態を確認した後、第１の係合状態から第２の係合状態に移行させることによって、不用意に遮断器を動作させる恐れがない。
請求項２記載の発明においては、請求項１記載の発明の効果に加えて、保護継電器の保護リレーの接点等の状態を容易に確認することができる。
請求項３記載の発明においては、請求項２記載の発明の効果に加えて、検知手段として発光ダイオードを用いるので、保護継電器の保護リレーの接点等の状態を容易に目視することができる。
【００２３】
請求項４記載の発明においては、請求項１から請求項３のいずれかに記載の発明の効果に加えて、第１プラグの長さを第２プラグの長さより大きく構成しているので、阻止手段による阻止状態において、第１プラグ及び第１端子の係合のみの状態を確実に維持できる。
請求項５記載の発明において、請求項４記載の発明の効果に加えて、ロックつまみのネジ部をナットに当接するようにしたので、第１の係合状態を確実に維持することができる。
【００２４】
請求項６記載の発明においては、請求項５記載の発明の効果に加えて、ナットをネジ部に螺合できるように構成したので、ロックつまみを意図的に回転させることによって初めて第１の係合状態から第２の係合状態に移行させることができる。
請求項７記載の発明においては、請求項５又は請求項６記載の発明の効果に加えて、付勢手段によって第１プラグ及び第２プラグを弾性的に付勢するようにしたので、第１の係合状態がより安定する。
【００２６】
【発明の実施の形態】
図１はこの発明の第１の実施の形態によるトリップロック端子台の概略構成を示す斜視図であり、図２は図１の状態から各構成部分を分離した分解斜視図である。
これらの図を参照して、トリップロック端子台は、大きくは本体１３と本体１３に着脱される短絡プラグ１５とから構成される。
【００２７】
短絡プラグ１５は、直方体形状のロックプラグカバー２７と、ロックプラグカバー２７の内部で一体的に形成され、本体１３側に突き出る一対の薄刃上の第１プラグ３１及び第２プラグ３３と、ロックプラグカバー２７内の上部に組み込まれ、その発光状態が表示窓２３から目視できる発光ダイオード（ＬＥＤ）２５と、ロックプラグカバー２７の中央部に第１プラグ３１及び第２プラグ３３と同一方向に貫通された導通穴２９に挿通され、その先端にネジ部１８が形成されているロックつまみ１７と、ロックプラグカバー２７の下方であって第１プラグ３１及び第２プラグ３３の突き出し方向とは反対方向に突き出るように形成され、テストケーブル２１が接続されるテストジャック１９が挿入されるジャック挿入口２０とを備える。
【００２８】
尚、ロックつまみ１７の胴部８５のネジ部１８側の位置の全周には溝８３が形成されており、ロックつまみ１７を導通穴２９に挿通した状態で溝８３にＥリング８１が係合する。従って、ロックプラグカバー２７はロックつまみ１７のローレット状の頭部とＥリング８１とによって挟まれた状態となる。
一方、本体１３は、直方体形状の本体カバー１４と、本体カバー１４の短絡プラグ１５側に形成され、短絡プラグ１５の第１プラグ３１、ネジ部１８及び第２プラグ３３の各々が挿通し得る、プラグ第１挿通穴４１、ロックネジ挿通穴４５及びプラグ第２挿通穴４３の各々が形成されたパネル部４７と、本体カバー１４内に格納され、プラグ第１挿通穴４１を介して挿通される第１プラグ３１を挟むようにして電気的に接続嵌合される形状の第１端子３５と、ロックネジ挿通穴４５を介して挿通されるネジ部１８の先端に当接される角ナット３９と、プラグ第２挿通穴４３を介して挿通される第２プラグ３３を挟むようにして電気的に接続嵌合される形状の第２端子３７とから構成されている。
【００２９】
尚、図からも明らかなように、第１プラグ３１及び第２プラグ３３のロックプラグカバー２７からの突き出し長さは、従来例とは異なり、第１プラグ３１が第２プラグ３３より長く（第１プラグ挿入接続安定寸法と、第２プラグと第２端子との電気的絶縁に必要な距離とを加算した寸法長さ分）構成されている。
図３は、この発明の第１の実施の形態によるトリップロック端子台において、本体１３に対する短絡プラグ１５の嵌合状態を示した図である。
【００３０】
図３の（１）は短絡プラグ１５を本体１３から引き抜いた状態を示した図であり、図３の（２）は短絡プラグ１５を本体１３に装着した第１の係合状態を示した図であり、図３の（３）は本体１３に短絡プラグ１５を完全に装着した第２の係合状態を示した図である。尚、図４の（１）から（３）は、図３で示した状態（１）から（３）の各々の状態に対応した概略電気回路図である。
【００３１】
これらの図を参照して、図３の（１）の状態では、短絡プラグ１５と本体１３とは完全に分離しているため、第１端子３５と第２端子３７、即ち第１コード４９と第２コード５１とは電気的に分離された状態となっている。尚、図４の（１）の回路図に示されているように、短絡プラグ１５のロックプラグカバー２７の内部において、第１プラグ３１と外部接続端子として機能するジャック挿入口２０との間に発光ダイオード２５と抵抗５４とが直列に接続されている。
【００３２】
次に、図３の（１）の状態から、短絡プラグ１５を本体１３のパネル部４７に形成されている開口を通して第１プラグ３１、ネジ部１８及び第２プラグ３３を挿通させる。この状態では、ロックつまみ１７の先端に形成されているネジ部１８は角ナット３９に当接され、ロックつまみ１７の頭部とＥリング８１とでロックプラグカバー２７は挟まれているので短絡プラグ１５、即ちロックプラグカバー２７の本体１３へのそれ以上の侵入を阻止する。この状態で、第１プラグ３１は第１端子３５に嵌合して電気的に接続されるが、第２プラグ３３は第１プラグ３１より短く形成されているため、第２端子３７とは嵌合せず電気的に分離された状態となっている。
【００３３】
そして、ロックプラグカバー２７の反対面に形成されているジャック挿入口２０に、テストケーブル２１が接続されているテストジャック１９を嵌入させこれらを電気的に接続する。この状態では図４の（２）に示されているように、第１端子３５とテストジャック１９とは発光ダイオード２５及び抵抗５４を介して電気的に接続された状態となる。ここで、第１コード４９が接続されている保護継電器の保護リレーの接点が「閉」状態となっていた場合、テストケーブル２１を接地すると第１端子３５及び第１プラグ３１を介して電流が流れるが、第２端子３７と第２プラグ３３とは電気的に分離されているため、その電流は第２端子３７を介して遮断器へ流れることはない。
【００３４】
一方、第１プラグ３１はジャック挿入口２０に電気的に接続されており、このジャック挿入口２０にはテストジャック１９が接続されているため、第１端子３５から第１プラグ３１に生じた電流は、発光ダイオード２５及び抵抗５４を通して外部接続端子たるジャック挿入口２０を通って接地電源へ流れることになる。従って、この状態では発光ダイオード２５が発光することになり、ロックプラグカバー２７の前面に形成された表示窓２３を通してその発光状態が目視される。これによって、保護継電器の保護リレーの接点が「閉」状態となっていることが確認できる。この状態では、上記のように、第２コード５１を介して遮断器へ電流が流れることはないため、遮断器が不用意に開放動作を生じることはない。この図３（２）の状態が短絡プラグ１５の本体１３に対する第１の係合状態を示している。
【００３５】
次に、保護継電器の点検作業が終わり、又発光ダイオード２５の発光がなくなったことが確認されると、これによって、保護継電器の保護リレーの接点がすべて「開」状態となったことが確認されたことになる。そこで、図３の（２）の状態から、テストジャック１９を取り外してロックつまみ１７を所定方向に回転させると、ネジ部１８は角ナット３９に螺合し、短絡プラグ１５は徐々に本体１３の方向に進行する。そして最終的には、ロックプラグカバー２７がパネル部４７の前面に密着するまで短絡プラグ１５は進行し、この状態で、第２プラグ３３も第２端子３７に嵌合して電気的に接続される。この状態が短絡プラグ１５の本体１３に対する第２の係合状態である。
【００３６】
この状態では、図４の（３）に示されているように、第１コード４９は第１プラグ３１及び第２プラグ３３を介して第２コード５１と電気的に接続された状態となる。従って、正常の作動が確認された保護継電器から発せられる信号は、第１コード４９、第１プラグ３１、第２プラグ３３及び第２コード５１を介して遮断器に入力され、図９で示したようにトリップコイル６９に電磁力を発生させ、遮断器ＣＢを開放動作させる本来の正常状態に復帰する。これによって、トリップロック端子台を用いた保護継電器の点検作業は終了する。
【００３７】
図５は、この発明の第２の実施の形態によるトリップロック端子台における本体１３及び短絡プラグ１５の概略電気回路図である。
短絡プラグ１５に関しては、従来の短絡プラグと同様の構造を有し、第１プラグ３１と第２プラグ３３との長さは同じである。一方、第１コード４９が接続される第１端子３５と遮断器への第２コード５１が接続される第２端子３７との間に、ＬＥＤ５５及び抵抗５７が直列に接続されている。このように第１コード４９と第２コード５１とは電気的に接続されているが、抵抗５７（２ＫΩ以上）は第１コード４９から第２コード５１へ遮断器を開放動作させるに足る大電流（１〜２０Ａ）は流させず、遮断器の開放動作させる恐れのない微小な電流（５０ｍＡ以下）のみを流すように機能するものである。
【００３８】
このような微小電流が流れた場合、ＬＥＤ５５が発光して、使用者に保護継電器の保護リレーの接点が「閉」となっていることを目視させる。しかしこの場合、第２コード５１には遮断器を開放動作させるに足る大電流が流れないため、不用意に遮断器が開放動作することはない。従って、使用者は、ＬＥＤ５５が消灯した状態を確認した後、短絡プラグ１５を本体１３に挿入嵌合させて、第１コード４９と第２コード５１とを第１プラグ３１及び第２プラグ３３を介して短絡させることによって、点検作業が終了する。
【００３９】
この第２の実施の形態においては、保護リレーの接点の状態を本体１３に組み込まれたＬＥＤ５５によって確認できるため、先の第１の実施の形態におけるような外部接続端子を短絡プラグ１５に設ける必要はない。従って、点検動作をより簡単に行うことができる。
図６は、この発明の第３の実施の形態による本体１３と短絡プラグ１５との概略構成を示したものであり、図６の（１）は短絡プラグ１５を本体１３から引き抜いた状態を示し、図６の（２）は短絡プラグ１５を本体１３に挿入した第１の係合状態を示した図である。
【００４０】
この実施の形態においては、ロックプラグカバー２７に取り付けられている第１プラグ３１及び第２プラグ３３の突き出し長さは、従来例と同じく同じ長さであるのに対して、本体１３に設置されている第２端子３７の長さは第１端子３５より短くなっている。このため、第１の係合状態において、ロックつまみ１７の先端のネジ部１８が角ナット３９に当接した状態においては、第１プラグ３１と第１端子３５とは電気的に接続されているが、第２プラグ３３と第２端子３７とは嵌合せずに電気的に分離された状態となる。これによって先の第１の実施の形態と同様に、ロックプラグカバー２７の外部接続端子たるジャック挿入口２０にテストジャック１９を接続することによって、第１コード４９とテストケーブル２１とが電気的に接続され、第１コード４９を介して流れた電流の有無が表示窓２３を通して確認することができる。
【００４１】
図７は、この発明の第４の実施の形態による本体１３及び短絡プラグ１５の概略構成図であり、図７の（１）は短絡プラグ１５を本体１３から取り外した状態を示し、図７の（２）は短絡プラグ１５を本体１３に嵌合させた状態を示した図である。
この実施の形態においては、この短絡プラグ１５は点検時においてのみ用いられるものであり、通常状態では、従来の構造の短絡プラグが用いられるものである。テスト用の短絡プラグ１５ととしては、第１端子３５に電気的に接続される第１プラグ３１のみが取付けられており、第２端子３７に接続される端子は取付けられていない。そして、短絡プラグ１５を本体１３に進行させ、ロックつまみ１７の回転によってネジ部１８を角ナット３９に螺合させて、短絡プラグ１５と本体１３とを完全な嵌合状態とする。そしてロックプラグカバー２７に形成されているジャック挿入口２０にテストジャック１９を嵌合させて、第１コード４９とテストケーブル２１とを電気的に接続させる。これによって、第１コード４９を通して生じた電流の有無を表示窓２３を通して確認することができる。この実施の形態においては、ロックプラグカバー２７には第１プラグ３１のみが取付けられているため、第１端子３５と第２端子３７とが短絡する恐れは全くなく、点検作業中の安全性がより確実に確保される。
【００４２】
図８は、この発明の第５の実施の形態による本体１３と短絡プラグ１５の第１の係合状態における概略構成図である。
この第１の係合状態においては、先の第１の実施の形態と同様に、第１プラグ３１は第１端子３５に電気的に接続されているが、第２プラグ３３は第２端子３７に電気的に分離された状態である。そしてこの実施の形態においては、第１プラグ３１と第２プラグ３３とをネジ部１８の方向に常時弾性的に付勢する第１バネ５９及び第２バネ６１が本体１３に取付けられている。即ち短絡プラグ１５を本体１３に嵌合させて第１の係合状態としたとき、第１プラグ３１及び第２プラグ３３は第１バネ５９及び第２バネ６１の各々に当接する。そして、第１バネ５９及び第２バネ６１はその弾性力によって、第１プラグ３１及び第２プラグ３３をネジ部１８の周りにぶれさせることなくそれらをガイドする機能を有する。従って、短絡プラグ１５は第１の係合状態において、第１の実施の形態によるものに比べてより安定した状態が保持される。
【００４３】
この状態からロックつまみ１７を回転させることによってネジ部１８は角ナット３９に螺合して、短絡プラグ１５は本体１３に進行する。この進行につれて、第１プラグ３１及び第２プラグ３３は第１バネ５９及び第２バネ６１の弾性力（付勢力）に抗して本体１３内に進行され、最終的に第２の係合状態（図示せず）において、第２プラグ３３は第２端子３７に嵌合してこれらは電気的に接続される。
【００４４】
尚、上記の各実施の形態においては、保護継電器のリレー接点の「閉」状態を発光ダイオードを用いて報知しているが、これに代えてブザー等の他の警報素子等を用いてもよい。
又、上記の実施の形態におけるトリップロック端子台を電力保護制御装置に用いているが、これに限らず点検すべき機器の動作を終了後本来的な回路の接続復帰を行うための端子台として用いることができるのは言うまでもない。
【図面の簡単な説明】
【図１】この発明の第１の実施の形態によるトリップロック端子台の概略斜視図である。
【図２】この発明の第１の実施の形態によるトリップロック端子台の分解斜視図である。
【図３】この発明の第１の実施の形態によるトリップロック端子台を構成する本体と短絡プラグとの係合状態を示した図である。
【図４】図３に示した本体と短絡プラグとの係合状態の各々に対応する概略電気回路図である。
【図５】この発明の第２の実施の形態によるトリップロック端子台を構成する本体及び短絡プラグの概略電気回路図である。
【図６】この発明の第３の実施の形態によるトリップロック端子台を構成する本体及び短絡プラグの係合状態を示した図である。
【図７】この発明の第４の実施の形態によるトリップロック端子台を構成する本体及び短絡プラグの係合状態を示した図である。
【図８】この発明の第５の実施の形態によるトリップロック端子台を構成する本体及び短絡プラグの係合状態を示した図である。
【図９】従来の電力保護制御盤周りの電路構成の概略を示した図である。
【図１０】図９に用いられている電力保護制御盤の前面パネルの概略図である。
【図１１】従来のトリップロック端子台を構成する本体及び短絡プラグの係合状態を示した図である。
【符号の説明】
１２・・・トリップロック端子台        ３５・・・第１端子
１３・・・本体                        ３７・・・第２端子
１５・・・短絡プラグ                  ３９・・・角ナット
１７・・・ロックつまみ                ４１・・・プラグ第１挿通穴
１８・・・ネジ部                      ４３・・・プラグ第２挿通穴
２０・・・ジャック挿入口              ４５・・・ロックネジ挿通穴
２３・・・表示窓                      ４９・・・第１コード
２５・・・発光ダイオード              ５１・・・第２コード
２９・・・導通穴                      ５７・・・抵抗
３１・・・第１プラグ                  ５９・・・第１バネ
３３・・・第２プラグ                  ６１・・・第２バネ
尚、各図中同一符号は同一又は相当部分を示す。
【図１】
0003973259.tif 000002
【図２】
0003973259.tif 000003
【図３】
0003973259.tif 000004
【図４】
0003973259.tif 000005
【図５】
0003973259.tif 000006
【図６】
0003973259.tif 000007
【図７】
0003973259.tif 000008
【図８】
0003973259.tif 000009
【図９】
0003973259.tif 000010
【図１０】
0003973259.tif 000011
【図１１】
0003973259.tif 000012